(57)【要約】【課題】映像信号の有無を検出する処理や、入力端子を切り替える処理を効率的に実行することでこれらの処理時間を短縮すると共に、入力端子の接続状態に変化があった場合は処理対象を動的に変更することができるプロジェクター及びその制御方法を提供する。【解決手段】外部から映像信号が入力される複数の映像入力端子Ｉ１〜Ｉ８と、複数の映像入力端子のうち、使用可能状態にある使用可能端子を検出する使用可能端子検出部６１を有する。【選択図】図５
2011118014.tif 000002
【特許請求の範囲】
【請求項１】
外部から映像信号が入力される複数の入力端子と、
前記複数の入力端子のうち、使用可能状態にある使用可能端子を検出する使用可能端子検出部を有することを特徴とするプロジェクター。
【請求項２】
前記使用可能端子検出部は、各入力端子に対応して設けられていることを特徴とする請求項１に記載のプロジェクター。
【請求項３】
前記各入力端子は、当該各入力端子を覆うための端子カバーが装着可能に構成され、前記使用可能端子検出部は、前記端子カバーの有無を検出することにより、前記使用可能端子を検出することを特徴とする請求項１または２に記載のプロジェクター。
【請求項４】
前記プロジェクターの電源投入操作、及び、前記複数の入力端子のうち前記映像信号が入力されている入力端子を検索するための操作、に応じて前記使用可能端子検出部が検出した検出状態を取得する制御部を更に有することを特徴とする請求項１〜３の何れかに記載のプロジェクター。
【請求項５】
前記使用可能端子を対象に前記映像信号が入力されているか否かを判定する映像入力判定部を更に備えることを特徴とする請求項１〜４の何れかに記載のプロジェクター。
【請求項６】
前記入力端子の接続を切り替える操作に応じて、前記使用可能端子検出部が検出した検出状態を取得する制御部を更に有することを特徴とする請求項１〜３の何れかに記載のプロジェクター。
【請求項７】
前記入力端子の接続を切り替える際に、使用不可能端子を飛ばして、前記使用可能端子の間で接続を切り替える入力端子切替部を更に有することを特徴とする請求項６に記載のプロジェクター。
【請求項８】
外部から映像信号が入力される複数の入力端子のうち、使用可能状態にある使用可能端子を検出するステップと、
前記使用可能端子を対象に前記映像信号が入力されているか否かを判定するステップと、を有することを特徴とするプロジェクターの制御方法。
【請求項９】
外部から映像信号が入力される複数の入力端子のうち、使用可能状態にある使用可能端子を検出するステップと、
使用不可能端子を飛ばして、前記使用可能端子の間で接続を切り替えるステップと、を有することを特徴とするプロジェクターの制御方法。
【発明の詳細な説明】
【技術分野】
【０００１】
本発明は、複数の映像入力端子を備えるプロジェクター及びその制御方法に関する。
【背景技術】
【０００２】
プロジェクターには、通常複数の映像ソース（ＰＣ、ＤＶＤ、ＶＴＲ、その他の映像機器、インターネット等）が接続可能である。プロジェクターは、複数の映像ソースのうち所望の映像ソースに基づく投写光を生成してスクリーンに投写する。
【０００３】
このようなプロジェクターを使用する際には、使用可能な映像ソースから所望の映像ソースを選択して投写表示を行う。映像ソースを選択する際は、通常全ての入力端子について映像信号の有無を検出する。
【０００４】
また近年では、リモートコントローラーの機種共通化のため、入力ソース切り替えボタンも、１ボタンで複数の映像ソースをトグルで切り替えるようになっている。映像ソースの種類が増えると切り替えたい映像ソースに設定するまでの手間が増える。
【０００５】
特許文献１には、入出力端子の順次切り替えが可能なＡＶ機器において、入出力端子の切り替え有効／無効を設定したデータを保持する端子データレジスタを設け、このデータに基づいてＣＰＵは、切り替え無効とされた入出力端子に対しては切り替えを行わないように切換選択部を制御するとともに、これに伴う映像ソース表示制御を行うように構成するＡＶ機器が開示されている。
【先行技術文献】
【特許文献】
【０００６】
【特許文献１】特開平０７−１４７６５４号公報
【発明の概要】
【発明が解決しようとする課題】
【０００７】
上述したように、全ての入力端子について映像信号の有無を検出する方法は、多くの種類の入力端子を備えるプロジェクターにおいては、映像ソースの選択に時間がかかってしまう。
【０００８】
また、特許文献１に記載の機器では、ユーザーが、入力端子の切り替えの有効あるいは無効を設定メニュー上で設定する。しかしながら、設定メニュー上で入力端子の切り替えを無効としても、実際に入力端子が開放された状態になっていれば、ユーザーは映像ソースのコネクターを接続することができる。このため、設定メニュー上で入力端子の切り替えを無効とした後、他のユーザーが切り替え無効とした入力端子に映像ソースのコネクターを改めて接続した場合は、その映像ソースに切り換えることができなくなってしまう。
【０００９】
逆に、設定メニュー上で入力端子の切り替えを有効とした後、他のユーザーが切り替え有効とした入力端子から映像ソースのコネクターを外すと、他のユーザーが入力端子には映像ソースのコネクターが接続されていないのに切り替えを行なってしまう。
【００１０】
本発明は上記課題を解決するためになされたものであって、映像信号の有無を検出する処理や、入力端子を切り替える処理を効率的に実行することでこれらの処理時間を短縮すると共に、入力端子の接続状態に変化があった場合は処理対象を動的に変更することができるプロジェクター及びその制御方法を提供することを目的とする。
【課題を解決するための手段】
【００１１】
上記課題を解決することのできる本発明は、外部から映像信号が入力される複数の入力端子と、前記複数の入力端子のうち、使用可能状態にある使用可能端子を検出する使用可能端子検出部を有することを特徴とする。
上記構成によれば、複数の入力端子のうち、使用可能状態にある使用可能端子を検出することができるので、使用可能端子を対象に映像信号の有無を検出する処理や、入力端子を切り替える処理を実行することができる。つまり、使用不可能端子に対しては映像信号の有無を検出する処理や入力端子を切り替える処理を行わないので、これらの処理時間を短縮することができる。
【００１２】
また、本発明のプロジェクターにおいて、前記使用可能端子検出部は、各入力端子に対応して設けられていることが好ましい。
上記構成によれば、入力端子毎に使用可能状態か否かを検出することができるので、入力端子に映像ソースが接続されたり外されたりしても、その変化を入力端子毎に検出することができる。したがって入力端子の接続状態に変化があった場合でも処理対象を変更することができる。
【００１３】
また、本発明のプロジェクターにおいて、前記各入力端子は、当該各入力端子を覆うための端子カバーが装着可能に構成され、前記使用可能端子検出部は、前記端子カバーの有無を検出することにより、前記使用可能端子を検出することが望ましい。
上記構成によれば、端子カバーを装着することにより、入力端子を使用できない状態にすることができると共に、入力端子の切り替えが無効に設定されている場合に誤ってユーザーが無効に設定されている端子に映像ソースを接続してしまうことを防ぐことができる。
【００１４】
また、本発明のプロジェクターにおいて、前記プロジェクターの電源投入操作、及び、前記複数の入力端子のうち前記映像信号が入力されている入力端子を検索するための操作、に応じて前記使用可能端子検出部が検出した検出状態を取得する制御部を更に有することが好ましい。
上記構成によれば、映像信号が入力されている入力端子を検索するための操作が行なわれると、使用可能端子の検出状態を取得することができる。電源投入後に入力端子に映像ソースが接続されたり外されたりしても、その変化を確実に検出することができる。したがって入力端子の接続状態に変化があった場合でも処理対象を動的に変更することができる。
【００１５】
また、本発明のプロジェクターにおいて、前記使用可能端子を対象に前記映像信号が入力されているか否かを判定する映像入力判定部を更に備えることが好ましい。
上記構成によれば、使用不可能端子に対しては映像信号の有無を検出する処理を行わないので、処理時間を短縮することができる。
【００１６】
また、本発明のプロジェクターにおいて、前記入力端子の接続を切り替える操作に応じて、前記使用可能端子検出部が検出した検出状態を取得する制御部を更に有することが好ましい。
上記構成によれば、入力端子の接続を切り替える操作が行なわれると、使用可能端子の検出状態を取得することができる。したがって、電源投入後や映像信号が入力されている入力端子を検索するための操作の後に、入力端子に映像ソースが接続されたり外されたりしても、切り替え操作の処理対象となる使用可能端子を確実に検出することができる。
【００１７】
また、本発明のプロジェクターにおいて、前記入力端子の接続を切り替える際に、使用不可能端子を飛ばして、前記使用可能端子の間で接続を切り替える入力端子切替部を更に有することが好ましい。
上記構成によれば、不使用端子を飛ばして使用可能端子のみを切り替えるので、ユーザーは最小限の切り替え操作で入力端子を切り替えることができる。
【００１８】
また、上記課題を解決することのできる本発明に係るプロジェクターの制御方法は、外部から映像信号が入力される複数の入力端子のうち、使用可能状態にある使用可能端子を検出するステップと、前記使用可能端子を対象に前記映像信号が入力されているか否かを判定するステップと、を有することを特徴とする。
上記構成によれば、複数の入力端子のうち、使用可能端子を対象に映像信号の有無を検出し、使用不可能端子に対しては映像信号の有無を検出する処理を行わないので、処理時間を短縮することができる。
【００１９】
また、上記課題を解決することのできる本発明に係るプロジェクターの制御方法は、外部から映像信号が入力される複数の入力端子のうち、使用可能状態にある使用可能端子を検出するステップと、使用不可能端子を飛ばして、前記使用可能端子の間で接続を切り替えるステップと、を有することを特徴とする。
上記構成によれば、複数の入力端子のうち、使用可能端子を対象に入力端子を切り替える処理を実行し、使用不可能端子に対しては入力端子を切り替える処理を行わないので、これらの処理時間を短縮することができる。
【図面の簡単な説明】
【００２０】
【図１】本実施形態のプロジェクターの外観斜視図である。
【図２】（ａ）は、本実施形態のプロジェクターの背面に設けられた接続端子を示した図であり、（ｂ）は、各映像入力端子を覆う端子カバーの一例を示す図である。
【図３】本実施形態のプロジェクターのリモコン操作面を示した図である。
【図４】本実施形態のプロジェクターの背面に設けられた操作パネルの一例を示した図である。
【図５】本実施形態のプロジェクターの内部構成を示すブロック図である。
【図６】入力検出時において使用可能端子を検出する処理を説明するためのフローチャートである。
【図７】全ての映像入力端子に対して入力検出処理を実行しているときに投写されるＯＳＤ映像である。
【図８】一部の映像入力端子に対して入力検出処理を実行しているときに投写されるＯＳＤ映像である。
【図９】ソース切り替え時において使用可能端子を検出する処理を説明するためのフローチャートである。
【図１０】ソース切り替え時において使用可能端子を検出する他の処理を説明するためのフローチャートである。
【発明を実施するための形態】
【００２１】
以下、本発明に係るプロジェクター及びその制御方法の好適な実施形態について、図面を参照して詳細に説明する。
【００２２】
図１に示すように、筐体３に覆われたプロジェクター１は、前面２に投写レンズ５が装備され、前面２寄りの上面６には、プロジェクター１の動作状態を示す状態インジケーター８が装備されている。また、筐体３の上面６と対向する下面７の前面側には、後述のリモートコントローラーＲＣ（以下、「リモコンＲＣ」という。）の出力信号を受信する受信部９が設けられている。
【００２３】
図２（ａ）に示すように、筐体３の背面４には、各種の入力機器を接続する複数の映像入力端子Ｉ１〜Ｉ８、ＲＳ−２３２Ｃ端子１６、モニター出力端子１７、音声出力端子１８などが配置されている。
【００２４】
映像入力端子Ｉ１〜Ｉ８の用途は、例えば次のようなものである。
入力端子Ｉ１およびＩ２は、コンピューター１およびコンピューター２の映像信号を入力させるコンピューター接続端子である。入力端子Ｉ３はビデオ機器のＳ−ビデオ信号を入力するＳ−ビデオ入力端子である。入力端子Ｉ４はビデオ機器のコンポジットビデオ信号を入力するビデオ入力端子である。入力端子Ｉ５は、ＨＤＭＩ（High-Definition Multimedia Interface）に対応したビデオ機器やコンピューターの信号を入力するＨＤＭＩ入力端子である。入力端子Ｉ６は、デジタルカメラやＵＳＢ対応のメモリーを接続し、画像データを入力するＵＳＢ  ＴｙｐｅＡの入力端子である。入力端子Ｉ７は、ＵＳＢケーブルでコンピューターと接続して、コンピューターの映像を入力させるＵＳＢ  ＴｙｐｅＢの入力端子である。入力端子Ｉ８は、ＬＡＮケーブルでコンピューターと接続し、ネットワーク上のコンピューターの画像信号を入力させるＬＡＮ端子である。
【００２５】
各映像入力端子Ｉ１〜Ｉ８は、図２（ｂ）に示す端子カバー５０で覆われるようになっている。端子カバー５０には、端子カバー５０の外郭より一部突出したピン５１が形成されている。各映像入力端子Ｉ１〜Ｉ８の周囲には、端子カバー５０のピン５１が挿入されるピン穴５１ａ〜５１ｈがそれぞれ設けられている。ピン５１がピン穴５１ａ〜５１ｈに挿入されると、ピン穴内部に設けられた図示しないスイッチが押下され、その映像入力端子が端子カバー５０によって覆われているか否かを検出する信号を出力することができる。
【００２６】
例えば、ユーザーは使用しない映像入力端子がある場合は、予め、使用しない映像入力端子を端子カバー５０で覆い、ピン５１を対応するピン穴へ挿入させる。こうすることで、スイッチの出力信号が例えばＬｏｗ（Ｌ）になることで、その映像入力端子が使用不可能な映像入力端子であることを検出することができる。逆に、端子カバー５０を被せずに、ピン穴にピン５１を挿入しない場合は、スイッチの出力信号が例えばＨｉｇｈ（Ｈ）のままであり、その映像入力端子が使用可能な映像入力端子であることを検出することができる。
【００２７】
図３に示すように、リモコンＲＣの操作面には、電源をＯＮ，ＯＦＦする電源ボタン２５ａ、環境設定メニューの表示／終了を行うメニューボタン２５ｂ、メニュー画面等から入力項目の選択を行う選択操作ボタン２５ｃ、映像入力端子Ｉ１〜Ｉ８のうち映像信号が入力されている端子を検索するための入力検出ボタン２５ｄ、映像入力端子Ｉ１〜Ｉ８の接続を順に切り替えるソース切替ボタン２２ａ〜２２ｄ、投写している映像の操作や調整を行うための各種の設定ボタン２３などが備えられている。
【００２８】
なお、ソース切替ボタン２２ａは映像入力端子Ｉ１とＩ２とを順に切り替え、ソース切替ボタン２２ｂは映像入力端子Ｉ３〜Ｉ５を順に切り替え、ソース切替ボタン２２ｃは映像入力端子Ｉ６とＩ７とを順に切り替えるトグルボタンである。つまり、ソース切替ボタン２２ａを押下する毎に、映像入力端子Ｉ１→Ｉ２→Ｉ１→Ｉ２・・・と切り替えることができる。また、ソース切替ボタン２２ｂを押下する毎に、映像入力端子Ｉ３→Ｉ４→Ｉ５→Ｉ３→Ｉ４→Ｉ５・・・と切り替えることができる。さらに、ソース切替ボタン２２ｃを押下する毎に、映像入力端子Ｉ６→Ｉ７→Ｉ６→Ｉ７・・・と切り替えることができる。一方、ソース切替ボタン２２ｄは映像入力端子Ｉ８へ直接切り替えるダイレクトボタンである。
【００２９】
また、リモコンＲＣは、プロジェクター１の受信部９へ向けてリモコン信号を出力するリモコン送信部２７が設けられている。
【００３０】
なお、本実施形態のプロジェクター１の背面４には上述したリモコンＲＣの各ボタンに対応する操作ボタンを備えた操作パネル４４が設けられている。図４に示すように、電源ボタン２５ＡはリモコンＲＣの電源ボタン２５ａに対応し、メニューボタン２５Ｂは環境設定メニューの表示／終了を行うメニューボタン２５ｂに対応し、選択操作ボタン２５Ｃはメニュー画面等から入力項目の選択を行う選択操作ボタン２５ｃに対応し、入力検出ボタン２５Ｄは映像信号が入力されている端子を検出するための入力検出ボタン２５ｄに対応する。操作パネル４４に設けられた各ボタンは、リモコンＲＣの各ボタンと同様の機能を果たすものである。
【００３１】
（プロジェクターの内部構成について）
次に、本実施形態のプロジェクターの内部構成について図５を参照して説明する。
図５に示すように、プロジェクター１は、光源であるランプ１１と、光変調手段である液晶ライトバルブ１２Ｒ，１２Ｇ，１２Ｂ（以下、「液晶ライトバルブ１２Ｒ，Ｇ，Ｂ」という。）と、投写光学系１３と、液晶ライトバルブ駆動部１４と、制御部２０と、映像音声処理部３２と、フレームメモリー３３と、映像処理部３４と、音声処理部３５と、スピーカー３６と、ＯＳＤ（On Screen Display）処理部３８と、ランプ駆動部４０と、操作信号処理部４３と、操作パネル４４と、使用可能端子検出部６１と、各映像入力端子Ｉ１〜Ｉ８に映像信号が入力されているか否かを検出する映像入力判定部６２と、映像入力端子Ｉ１〜Ｉ８の接続を切り替える入力端子切替部６３と、を備えている。
【００３２】
投写光学系１３は投写レンズ５を有している。プロジェクター１は、映像入力端子Ｉ１〜Ｉ８の何れかの端子から供給される映像信号に応じた映像光を投写し、投写レンズ５を介して、スクリーン、白壁又はホワイトボード等の被投写体（以下「スクリーンＳＣ」という。）に拡大投写する。
【００３３】
なお、本実施形態では、光源としてランプ１１を用いる場合を説明するが、本発明はこれに限らず、ＬＥＤ光源やレーザー光源など任意の光源を用いても良い。
【００３４】
制御部２０は、映像信号処理部３２、ＯＳＤ処理部３８、ランプ駆動部４０、操作信号処理部４３、使用可能端子検出部６１、映像入力判定部６２及び入力端子切替部６３と接続されている。この制御部２０は、マイクロプロセッサと、書き換え可能な不揮発性の記憶部と、マイクロプロセッサが直接アクセスすることができる主記憶部と、を備えている。不揮発性の記憶部には、プロジェクター１の各種動作を制御するための制御プログラム、画質調整等を行う際のメニュー映像、映像信号が入力されている映像入力端子を検出する際の映像、台形歪補正量の表示などのＯＳＤ映像を生成するためのＯＳＤ情報を記憶するとともに、プロジェクター１の各種設定値等が記憶されている。
【００３５】
マイクロプロセッサは、不揮発性の記憶部に記憶された制御プログラム等を実行して、プロジェクター１の動作を統括制御し、制御部２０に接続された各部から入力される各種データを演算するとともに、演算結果を各部に出力する。
【００３６】
使用可能端子検出部６１は、映像入力端子Ｉ１〜Ｉ８のうち、使用可能状態にある使用可能端子を検出して保持するスイッチである。スイッチは入力端子毎に設けられている。端子カバー５０のピン５１がピン穴５１ａ〜５１ｈに挿入されると、ピン穴内部に設けられた各スイッチが切り替わる。逆に、端子カバー５０のピン５１がピン穴５１ａ〜５１ｈから取り出されると、ピン穴内部に設けられた各スイッチが元の状態に戻る。これにより信号が切り替わり、その映像入力端子が端子カバー５０によって覆われているか否か、つまり使用可能端子か否かを検出する。なお本明細書中において、使用可能状態とは、映像入力端子が端子カバー５０によって覆われていない状態である。すなわち、映像入力端子が開放されているため、ケーブルを接続して映像信号を入力することができる状態である。一方、端子カバー５０によって覆われている映像入力端子は使用不可能状態にある端子である。
【００３７】
また、使用可能端子検出部６１は、保持している使用可能端子の検出状態を制御部２０へ通知する。
本実施形態の制御部２０は、プロジェクター１の電源投入に応じて、あるいは映像入力端子Ｉ１〜Ｉ８のうち映像信号が入力されている入力端子を検索するための操作に応じて、使用可能端子検出部６１が保持する検出状態をＧＰＩＯ（General Purpose Input/Output）を用いて取得する。
さらに、制御部２０は、映像入力端子Ｉ１〜Ｉ８の接続を切り替える操作に応じて、使用可能端子検出部６１が保持する検出状態をＧＰＩＯを用いて取得する。
【００３８】
映像入力判定部６２は、映像入力端子Ｉ１〜Ｉ８に映像信号が入力されているか否かを判定する。特に、本実施形態では、使用可能端子検出部６１によって検出された使用可能端子を対象として映像信号の有無を判定する。
【００３９】
入力端子切替部６３は、リモコンＲＣのソース切替ボタン２２ａ〜２２ｄによる操作があると、映像入力端子Ｉ１〜Ｉ８のうち何れかの入力端子へ接続を切り替える。そして、切り替え後の映像入力端子から供給される映像信号を映像音声処理部３２へ送信する。本実施形態では、使用可能端子検出部６１によって検出されなかった使用不可能端子を飛ばして、使用可能端子の間だけで接続を切り替えることができる。例えば、映像入力端子Ｉ１からコンピューター１の映像信号が検出され、映像入力端子Ｉ４からはビデオ機器の映像信号が検出されたが、その他の映像入力端子Ｉ２，Ｉ３及びＩ５〜Ｉ８は端子カバー５０によって覆われ使用不可能端子であった場合は、その使用不可能端子を飛ばして、使用可能端子であるビデオ機器の映像信号に切り替えることができる。詳細は後述する。
【００４０】
映像音声処理部３２は、入力端子切替部６３から受信した映像信号をデコードして圧縮符号化前の映像データに変換し、これらをたとえばＲＧＢ信号に変換して順次映像処理部３４に出力する。また、音声入力端子から入力される音声信号についても同様にデコードを行い、Ｄ／Ａ変換により音声データに変換し、順次音声処理部３５に出力する。映像音声処理部３２にはフレームメモリー３３が接続されており、映像データを１フレーム毎にフレームメモリー３３に記憶させるとともに、フレームメモリー３３に記憶された映像データを読み出す。
【００４１】
映像処理部３４は、映像音声処理部３２より受信したＲＧＢ信号に対してγ補正処理、台形補正処理、解像度変換処理などを行い、液晶ライトバルブ駆動部１４に出力する。
【００４２】
液晶ライトバルブ駆動部１４は、入力されたＲＧＢ信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素がマトリクス状に形成されている。液晶ライトバルブ駆動部１４により各画素の透過率が調整されることにより、ランプ１１から射出され、色光分離光学系によって各色光に分離された、Ｒ（赤）、Ｇ（緑），Ｂ（青）の各色光を対応する液晶ライトバルブ１２Ｒ，Ｇ，Ｂによって変調する。液晶ライトバルブ１２Ｒ，Ｇ，Ｂから射出される映像光は、クロスダイクロイックプリズムなどの合成光学系により合成され、投写光学系１３の投写レンズ５によってスクリーンＳＣ上に拡大投写される。また、投写光学系１３には、投写光の焦点を変更可能なフォーカス機構と、投写光の拡大率を変更可能なズーム機構とが備えられている。
【００４３】
音声処理部３５は、映像音声処理部３２より受信した音声データをスピーカー３６に出力する。なお、音声処理部３５は、音量増幅部を有しており、音量の増幅を行ってスピーカー３６に出力する。これにより、スピーカー３６は、増幅されて入力するアナログ音声信号を出力する。
【００４４】
ＯＳＤ処理部３８は、メニュー映像や映像入力端子を検出する際の映像等のＯＳＤ情報を制御部２０から受信して、ＯＳＤ映像を生成する。また、生成したＯＳＤ映像と映像処理部３４から受信した映像データを合成し、液晶ライトバルブ駆動部１４へ送信する。
【００４５】
ランプ駆動部４０は、制御部２０からの指示に従って、ランプ１１を点灯又は消灯させる点灯手段であり、例えばランプ１１が高圧放電灯の場合には、始動電圧を印加する点灯回路や、適正なランプ電流を供給する安定器などにより構成される。
【００４６】
操作信号処理部４３は、操作パネル４４又はリモコンＲＣから入力された操作信号を受信し、これを制御部２０に出力する。
【００４７】
＜使用可能端子を検出する処理について＞
（実施例１）
次に、本実施形態のプロジェクターが実行する使用可能端子を検出する処理について説明する。実施例１として、映像入力端子Ｉ１〜Ｉ８のうち映像信号が入力されている入力端子を検出するための操作（入力検出操作）に応じて、使用可能端子を検出する処理について図６を参照して説明する。
【００４８】
まず、操作パネル４４の入力検出ボタン２５ＤあるいはリモコンＲＣの入力検出ボタン２５ｄが押下され、制御部２０は操作信号処理部４３から入力検出の操作信号を受信すると（ステップＳ１１：Ｙｅｓ）、使用可能端子検出部６１の検出状態をＧＰＩＯを用いて取得する（ステップＳ１３）。制御部２０は、プロジェクター１の電源投入に応じて、起動処理の一部として入力検出処理を実行するよう設定されている場合も、使用可能端子検出部６１の検出状態をＧＰＩＯを用いて取得する。
【００４９】
次に、制御部２０は、使用可能端子検出部６１から取得した検出結果から使用可能端子の一覧を作成するようＯＳＤ処理部３８へ指示する（ステップＳ１５）。ＯＳＤ処理部３８は検出結果に対応した入力検出のためのＯＳＤ映像を生成する。生成されたＯＳＤ映像は液晶ライトバルブ駆動部１４、液晶ライトバルブ１２Ｒ，Ｇ，Ｂ、投写光学系１３を介してスクリーンＳＣに投写される（ステップＳ１７）。
【００５０】
制御部２０は、映像入力判定部６２に対して、ステップＳ１３において取得した検出結果に基づき、使用可能端子を対象に入力検出処理を行なうよう指示する。映像入力判定部６２は、制御部２０からの指示に応じて映像入力端子Ｉ１〜Ｉ８のうち使用可能端子に対して、映像信号が入力されているか否かを判定し、入力検出を実行する（ステップＳ１９）。
【００５１】
例えば、ステップＳ１３において、映像入力端子Ｉ１〜Ｉ８の全てが使用可能端子であることが検出された場合は、全ての映像入力端子Ｉ１〜Ｉ８に対して映像信号の有無を判定する。図７は、全ての映像入力端子Ｉ１〜Ｉ８に対して入力検出処理を実行しているときに投写されるＯＳＤ映像である。
【００５２】
また、ステップＳ１３において、映像入力端子Ｉ１〜Ｉ８のうち、一部の映像入力端子のみが使用可能端子であることが検出された場合は、検出された一部の使用可能端子に対して映像信号の有無を判定する。図８は、映像入力端子Ｉ１，Ｉ４及びＩ６〜Ｉ８だけが使用可能端子として検出され、映像入力端子Ｉ１，Ｉ４及びＩ６〜Ｉ８に対して入力検出処理を実行しているときに投写されるＯＳＤ映像である。
【００５３】
このように、本実施形態のプロジェクター１は、使用可能端子のみを対象として映像信号の入力検出処理を行う。このため、従来のように全ての映像入力端子に対して入力検出処理を実行していた場合と比較して、処理速度を速めることができる。特に、近年のプロジェクターは入力端子の種類や数が増加しているため、全ての入力端子を対象に入力検出処理を実行していると、入力検出処理やプロジェクターの起動処理に長時間を要することとなる。本実施形態によれば、ユーザーは使用しない映像入力端子を端子カバー５０で覆い、端子カバー５０のピン５１をピン穴に挿入すれば、その入力端子を自動的に入力検出処理の対象から除外することができるので、入力検出処理を必要最小限の時間で行うことができる。
【００５４】
（実施例２）
次に、実施例２として、入力端子の接続を切り替える操作に応じて、使用可能端子を検出する処理について図９を参照して説明する。なお、切り替え操作として、リモコンＲＣのソース切り替えボタン２２ｂの押下操作が行なわれた場合を例として説明する。以下では、入力端子の接続の切り替えを、「ソース切り替え」と言う。
【００５５】
まず、リモコンＲＣのソース切替ボタン２２ｂが押下され、制御部２０は操作信号処理部４３からソース切り替えの操作信号を受信すると（ステップＳ２１：Ｙｅｓ）、押下されたソース切替ボタン２２ｂに対応する映像入力端子について、使用可能端子検出部６１の検出状態をＧＰＩＯを用いて取得する（ステップＳ２３）。ここでは、まず映像入力端子Ｉ３について検出状態を取得する。
【００５６】
制御部２０は、使用可能端子検出部６１から取得した検出結果から使用可能端子であるか否かを判定し、使用可能端子であれば（ステップＳ２５：Ｙｅｓ）入力端子切替部６３に対して映像入力端子の接続を切り替えるよう指示する。入力端子切替部６３は、指示に応じて使用可能端子Ｉ３にソース切り替えを実行する（ステップＳ２７）。
【００５７】
一方、制御部２０はステップＳ２５において、押下されたボタンに対応する映像入力端子Ｉ３が使用不可能端子であると判定すると（ステップＳ２５：Ｎｏ）、ソース切り替えを行なわずに、押下されたボタンに対応する全ての映像入力端子が使用不可能端子であるかを判定する。ソース切替ボタン２２ｂは映像入力端子Ｉ３〜Ｉ５を順に切り替えるトグルボタンであるため、全ての映像入力端子Ｉ３〜Ｉ５が使用不可能端子ではないと判定すると（ステップＳ２９：Ｎｏ）、トグル対象となっている次の映像入力端子についての処理へ移行する（ステップＳ３１）。
【００５８】
次の映像入力端子Ｉ４について、ステップＳ２３及びステップ２５の処理を実行して、映像入力端子Ｉ４が使用可能端子であった場合は（ステップＳ２５：Ｙｅｓ）、制御部２０からの指示に応じて、入力端子切替部６３は使用可能端子Ｉ４にソース切り替えを実行する（ステップＳ２７）。
【００５９】
一方、映像入力端子Ｉ４について、ステップＳ２３〜ステップ２９の処理を実行し、映像入力端子Ｉ４も使用可能端子でない場合は（ステップＳ２９：Ｎｏ）、さらに次の映像入力端子Ｉ５についてステップＳ２３〜ステップ２９の処理を実行する。ソース切替ボタン２２ｂに対応する全ての映像入力端子Ｉ３〜Ｉ５が使用不可能端子であると判定した場合は（ステップＳ２９：Ｙｅｓ）、ソース切り替えを行なわずに処理を終了する。
【００６０】
このように、本実施形態のプロジェクター１は、ソース切替ボタン２２ｂを１度押下するだけで、トグル対象である映像入力端子Ｉ３〜Ｉ５について使用可能端子か否かを判定し、使用不可能端子があれば、自動的にその入力端子を飛ばして使用可能端子にソース切り替えを実行する。従来は、使用可能端子か否かを判定せずに、ソース切替ボタン２２ｂが押下されるとその都度ソース切り替えを実行していたので、使用不可能な入力端子への切り替え操作が無駄となっていた。本実施形態によれば、最小限のボタン操作でソース切り替えを行なうことができる。
【００６１】
なお、上述した実施例２では、３つの映像入力端子Ｉ３〜Ｉ５がトグル対象となっているソース切替ボタン２２ｂの場合を説明したが、２つの映像入力端子Ｉ１及びＩ２（あるいはＩ６及びＩ７）がトグル対象となっているソース切替ボタン２２ａ（あるいはソース切替ボタン２２ｃ）の場合も同様の処理を行うことができる。さらに、４つ以上の映像入力端子がトグル対象となっているソース切替ボタンを別途設けてもよい。
【００６２】
また、本実施形態において、ソース切替ボタン２２ｄは映像入力端子Ｉ８へ直接切り替えるダイレクトボタンであるが、ダイレクトボタンが押下された場合は、図１０に示す処理が実行される。
【００６３】
リモコンＲＣのソース切替ボタン２２ｄが押下され、制御部２０は操作信号処理部４３からソース切り替えの操作信号を受信すると（ステップＳ４１：Ｙｅｓ）、押下されたソース切替ボタン２２ｄに対応する映像入力端子Ｉ８について、使用可能端子検出部６１の検出状態をＧＰＩＯを用いて取得する（ステップＳ４３）。
【００６４】
制御部２０は、使用可能端子検出部６１から取得した検出結果から使用可能端子であるか否かを判定し、使用可能端子であれば（ステップＳ４５：Ｙｅｓ）入力端子切替部６３に対して映像入力端子の接続を切り替えるよう指示する。入力端子切替部６３は、指示に応じて使用可能端子Ｉ８にソース切り替えを実行する（ステップＳ４７）。
【００６５】
一方、制御部２０はステップＳ４５において、押下されたボタンに対応する映像入力端子Ｉ８が使用不可能端子であると判定すると（ステップＳ４５：Ｎｏ）、ソース切り替えを行なわずに処理を終了する。
【００６６】
上述したように、本実施形態のプロジェクター１によれば、複数の映像入力端子Ｉ１〜Ｉ８のうち、使用可能状態にある使用可能端子を検出して保持することができるので、実施例１のように使用可能端子を対象に映像信号の有無を検出する処理や、実施例２のように入力端子を切り替える処理を実行することができる。つまり、使用不可能端子に対しては映像信号の有無を検出する処理や入力端子を切り替える処理を行わないので、これらの処理時間を短縮することができる。
【００６７】
なお、上述した上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００６８】
１：プロジェクター、１１：ランプ、１２Ｒ，Ｇ，Ｂ：液晶ライトバルブ、１３：投写光学系、１４：液晶ライトバルブ駆動部、２０：制御部、２５Ａ，２５ａ：電源ボタン、２５Ｄ，２５ｄ：入力検出ボタン、２２ａ〜２２ｄ：ソース切替ボタン、３２：映像音声処理部、３３：フレームメモリー、３４：映像処理部、４０：ランプ駆動部、４３：操作信号処理部、４４：操作パネル、５０：端子カバー、５１：ピン、５１ａ〜５１ｈ：ピン穴、６１：使用可能端子検出部、６２：映像入力判定部、６３：入力端子切替部、Ｉ１〜Ｉ８：映像入力端子、ＲＣ：リモコン、ＳＣ：スクリーン。
【図１】
2011118014.tif 000003
【図２】
2011118014.tif 000004
【図３】
2011118014.tif 000005
【図４】
2011118014.tif 000006
【図５】
2011118014.tif 000007
【図６】
2011118014.tif 000008
【図７】
2011118014.tif 000009
【図８】
2011118014.tif 000010
【図９】
2011118014.tif 000011
【図１０】
2011118014.tif 000012